(57)【要約】      （修正有）【課題】ストロボ発光部を収納位置と突出位置との間で駆動する駆動機構を、カメラ本体にカム溝部を設けることなく実現し、カメラ本体の設計の自由度を高める。【解決手段】発光部とこの発光部を突出位置と収納位置との間で駆動する駆動手段を備えたカメラであって、駆動手段は、カメラ本体に対して、固定された軸回りで回転可能に取り付けられた第１のリンク部材と、発光部が取り付けられるとともに第１のリンク部材に回転可能に取り付けられた第２のリンク部材と、第１のリンク部材及び第２のリンク部材のうちいずれか一方のリンク部材の回転力を他方のリンク部材に伝達し、他方のリンク部材を一方のリンク部材の回転方向とは反対方向に回転させる伝達機構とを有することを特徴とする。【選択図】図２ａ
2005156577.tif 000002
【特許請求の範囲】
【請求項１】
発光部とこの発光部を突出位置と収納位置との間で駆動する駆動手段を備えたカメラであって、
前記駆動手段は、
カメラ本体に対して、固定された軸回りで回転可能に取り付けられた第１のリンク部材と、
前記発光部が取り付けられるとともに前記第１のリンク部材に回転可能に取り付けられた第２のリンク部材と、
前記第１のリンク部材及び前記第２のリンク部材のうちいずれか一方のリンク部材の回転力を他方のリンク部材に伝達し、前記他方のリンク部材を前記一方のリンク部材の回転方向とは反対方向に回転させる伝達機構とを有することを特徴とするカメラ。
【請求項２】
前記発光部が閉じ方向に駆動される際に、前記第１のリンク部材を前記閉方向へ付勢し、前記発光部が開方向に駆動される際に、前記第１のリンク部材を前記開方向へ付勢する付勢手段を有することを特徴とする請求項１記載のカメラ。
【請求項３】
前記伝達機構は、前記カメラ本体に固定された第１のカムピンと、前記第１のリンク部材に形成され、前記第１のカムピンが係合する第１のカム溝部と、前記第２のリンク部材に固定された第２のカムピンと、前記第１のリンク部材に形成され、前記第２のカムピンが係合する第２のカム溝部とを有することを特徴とする請求項１又は２に記載のカメラ。
【請求項４】
前記伝達機構は、前記カメラ本体に固定された第１のギアと、前記第２のリンク部材に固定された第２のギアと、前記第１のギア及び前記第２のギアに係合するとともに、前記第１のリンク部材に対して固定された軸回りで回転可能に取り付けられた第３のギアとを有することを特徴とする請求項１又は２に記載のカメラ。
【請求項５】
前記伝達機構は、前記カメラ本体に固定された第１のギアと、前記第２のリンク部材に固定された第２のギアと、前記第１のギア及び前記第２のギアに係合するタイミングベルトとを有することを特徴とする請求項１又は２に記載のカメラ。
【発明の詳細な説明】
【技術分野】
【０００１】
本発明はストロボ装置を内蔵するカメラに関するものである。
【背景技術】
【０００２】
カメラ本体に対して開閉動作可能なストロボ発光装置を備えたカメラが種々提案されているが、この種のカメラでは、赤目現象やレンズ鏡筒によるストロボ光のケラレを防止するために、ストロボ発光装置の発光位置を、カメラ本体に対してより高く、より前方に配置する必要がある。
【０００３】
例えば、カメラの本体の上部にアップダウン可能なストロボ発光部を組み込み、カメラとストロボを連結するリンクとこのリンクの端部に設けられたカムピンが係合するカム溝部をカメラ本体に形成したストロボアップ機構が提案されている（例えば、特許文献１参照）。
【特許文献１】特公平６−１７９６３号公報（第２項、第２B図、第４項、第５B図）
【発明の開示】
【発明が解決しようとする課題】
【０００４】
しかし、上記従来例の発明では、リンクの端部に設けられたカムピンがスライド移動するカム溝部をカメラ本体に形成しているため、カメラの内装部品をこのカム溝部と干渉しないように配置しなければならず、設計の自由度が低くなる。
【０００５】
また、ストロボには４つのリンク部材が取り付けられるとともに、これらのリンク部材の両端にはそれぞれピンが設けられている。このため、これらのピンを互いに干渉しないように配置しなければならず、上述と同様に設計の自由度が低くなる。
【０００６】
さらに、ストロボやカメラ本体に形成されたカム溝部にカムピンを係合させることにより、ストロボを駆動しているため、カム溝部とカムピンとの間にガタが生じるおそれがある。その結果、ストロボ発光装置が収納位置に移動した際にカメラ本体との間に隙間が生じたり、ストロボ発光位置への移動が不安定になったりするおそれがある。
【０００７】
また、ストロボの発光位置を高くするために、リンク部材の端部に設けられたカムピンの移動量を増やそうとすると、これに応じてカメラ本体のカム溝部を長くしなければならないため、カメラが主として撮影光軸方向に大型化してしまう。
【０００８】
さらに、ストロボの発光位置を上げるために、カム溝部を大きくすると、アップ時の安定性が欠けてしまう。また、ストロボやカメラにカム溝部やカムピンを設けることが必要となるため、発光位置をより高く上げるために溝穴を大きくすると、リンクが大きくなってしまい、カメラが大型化してしまう。
【０００９】
また、ストロボのアップ量を大きくすると、アップ時にカム溝部やカムピンが外観の一部となるため、外観品位を損なう可能性がある。これらの理由から、発光部の位置をより高く上げるのが困難であった。
【００１０】
また、従来例には、リンクが二枚重ねられて配置されるため、カメラが主として撮影光軸に直交する方向に大きくなるおそれがある。
【００１１】
更に、バネにより常に開方向にストロボを付勢する機構は、ストロボが収容位置に収容された時にストロボ本体とカメラ本体との間の隙間が生じ、この隙間を目立ちにくくする調整に手間がかかるという問題もある。
【課題を解決するための手段】
【００１２】
上記課題を解決するために、本願発明のカメラは、発光部とこの発光部を突出位置と収納位置との間で駆動する駆動手段を備え、駆動手段は、カメラ本体に対して、固定された軸回りで回転可能に取り付けられた第１のリンク部材と、発光部が取り付けられるとともに第１のリンク部材に回転可能に取り付けられた第２のリンク部材と、第１のリンク部材及び第２のリンク部材のうちいずれか一方のリンク部材の回転力を他方のリンク部材に伝達し、他方のリンク部材を一方のリンク部材の回転方向とは反対方向に回転させる伝達機構とを有することを特徴とする。
【００１３】
また、発光部が閉じ方向に駆動される際に、第１のリンク部材を閉方向へ付勢し、発光部が開方向に駆動される際に、第１のリンク部材を開方向へ付勢する付勢手段を設けるのが好ましい。
【００１４】
更に、伝達機構を、カメラ本体に固定された第１のカムピンと、第１のリンク部材に形成され、第１のカムピンが係合する第１のカム溝部と、第２のリンク部材に固定された第２のカムピンと、第１のリンク部材に形成され、第２のカムピンが係合する第２のカム溝部によって構成してもよい。
【００１５】
更にまた、伝達機構を、カメラ本体に固定された第１のギアと、第２のリンク部材に固定された第２のギアと、第１のギア及び第２のギアに係合するとともに、第１のリンク部材に対して固定された軸回りで回転可能に取り付けられた第３のギアとにより構成したり、カメラ本体に固定された第１のギアと、第２のリンク部材に固定された第２のギアと、第１のギア及び第２のギアに係合するタイミングベルトとにより構成したりしてもよい。
【発明の効果】
【００１６】
このように、本願発明では、第１のリンク部材を、カメラ本体に対して、固定された軸回りで回転可能に取り付けており、従来例と異なりカメラ本体に発光部を駆動するためのカム溝部を設けていない。したがって、カム溝部の基板をカメラ本体に設ける必要がなくなるため、その分だけカメラ本体の内部空間が広がり、設計の自由度を高めることができる。
【００１７】
また、カムピンをカム溝部に係合させスライド移動させることにより、第１のリンク部材を駆動する構成ではないため、カムピンとカム溝部との間に生じるガタにより、発光部の駆動が不安定になるということもない。
【００１８】
また、発光部の駆動が、第１のリンク部材及び第２のリンク部材のいずれか一方に加えられた駆動に連動して行われるため、手動による操作の際にも操作性がよく、カメラ内部からの駆動の制御も容易となる。
【００１９】
さらに、発光部をカメラ本体に対して、なるべく高く、より前方に配置させることができ、赤目現象対策やレンズ鏡筒によるストロボ光のケラレ対策として効果的なストロボアップ機構を実現することができる。
【００２０】
発光部が閉じ方向に駆動される際に、第１のリンク部材を閉方向へ付勢し、発光部が開方向に駆動される際に、第１のリンク部材を開方向へ付勢する付勢手段を設けることにより、発光部を突出位置に確実に停止させることができる。また、収納位置に移動した発光部の駆動機構とカメラ本体との間に隙間が生じて、カメラの外観が損なわれるのを防止することができる。
【００２１】
また、伝達機構として、カムピンとカム溝部の組み合わせ、ギア、タイミングベルトを用いることにより、簡単な機構で伝達機構を実現することができる。
【発明を実施するための最良の形態】
【００２２】
以下に本発明の実施例について説明する。
【００２３】
（実施例１）
図1は、本発明の実施例であるストロボ発光装置を備えたカメラの外観斜視図である。図1(a)、図1(b)はそれぞれ、ストロボダウン状態、ストロボアップ状態を示している。
【００２４】
カメラ本体１の前面には、マウント部２が設けられ、このマウント部２にはズーミングが可能な不図示のレンズ鏡筒が着脱可能に装着される。３aは、ストロボケース３(第２のリンク部材)の先端部に装着されたストロボ発光部であり、このストロボ発光部３は、後述する駆動機構により駆動され、被写体観察時にカメラ本体１内に収納され(図１(a)参照)、撮影時には発光位置に移動する(図１(ｂ)参照)。
【００２５】
次に、ストロボ発光部３を駆動する駆動機構を図２、図３を用いて説明する。ここで、図2(a)はストロボダウン状態を示し、図2(b)はストロボアップ状態を示しており、図３は、該駆動機構をカメラの撮影光軸方向から見た図である。
【００２６】
アーム４(第１のリンク部材)は、内側に後述するカムを収容するための空間部を有しており、その先端部と基端部はそれぞれ、ストロボケース３の基端部に設けられた回転軸１２とカメラ本体１に設けられた回転軸１１に対して回転可能に取り付けられている。
【００２７】
このように、本実施例では、アーム４をカメラ本体１に固定された回転軸１１に回転可能に取り付けているため、従来例のようにカメラ本体１にアーム４を駆動するためのカム溝部を設ける必要がない。したがって、カメラ本体１にカム溝部を形成するための基板を設ける必要がなくなるため、カメラ本体１内のスペースが広がり、設計の自由度を高めることができる。
【００２８】
レバー５は、回転軸１１に回転可能に支持されるとともに図３に示すようにアーム４のカメラ本体１側の外面に対して固定されている。発光位置にストロボ発光部３ａを移動させる場合、CPU４１からアクチュエータ４２に駆動信号が出力され、この駆動信号に基づき駆動されるアクチュエータ４２の駆動力がギア列４３を介してレバー５に伝達される。
【００２９】
カメラ本体１には、アーム４側に突出した第１のカムピン６が設けられており、この第１のカムピン６は、アーム４のカメラ本体１側の面に形成された第１のカム溝部１３に係合している。
【００３０】
ストロボケース３には、アーム４側に突出した第２のカムピン７が設けられており、この第２のカムピン７は、アーム４の外面のうちカメラ本体１側の面とは反対側の面に形成された第２のカム溝部８に係合している。
【００３１】
アーム４の空間部に配置されたカム９には、回転軸１０を挟んだ両側に第１の溝部１４及び第２の溝部１５が形成されており、これらの溝部にはそれぞれ、第１のカムピン６と第２カムピン７が挿通している。
【００３２】
また、第１の溝部１４には、一端が第１のカムピン６に当接し他端が第１の溝部１４の端面に当接した第１のバネ１９が圧縮された状態で収容されており、第２の溝部１５には、一端が第２のカムピン７に当接し他端が第２の溝部１５の端面に当接した第２のバネ２０が圧縮された状態で収容されている。これらのバネを設けることに生じる作用効果は後述する。
【００３３】
次に、図２を用いて、ストロボ発光部３ａを収納位置から発光位置へ移動させる際の駆動機構の動作について説明する。
【００３４】
収納位置にストロボ発光部３ａが収納された状態(図２(ａ)の状態)で、レバー５にアクチュエータ４２の駆動力が伝達されると、レバー５は回転軸１１を回転軸として時計回り方向に回転する。この際、レバー５に固定されたアーム４もこれと一体となって時計回り方向に回転する。
【００３５】
アーム４が回転動作を開始すると、これに伴いアーム４内の空間部に設けられたカム９もこれと一体となって回転動作を開始する。ここで、上述のように第１のカム溝部１３を挿通している第１のカムピン６はカメラ本体１に固定されているため、第１のカムピン６から、第１のカム溝部１３の下側の面(図２(ａ)における下側の面)に、カム９を時計回り方向に回転させるトルクが与えられる。その結果、カム９は、アーム４に対して回転軸１０を中心軸として時計回り方向に回転する。
【００３６】
カム９が回転軸１０回りの回転動作を開始すると、第２のカム溝部８の下側の面(図２(ａ)における下側の面)から、第２のカム溝部８に挿通している第２のカムピン７に対して、ストロボケース３を反時計回り方向に回転させるトルクが与えられる。その結果、ストロボケース３は、回転軸１２を中心軸として反時計回り方向に回転する。
【００３７】
こうして、ストロボケース３の先端部に取り付けられたストロボ発光部３ａは、カメラ本体１の上方及び前方に徐々に移動し、第２のカム溝部８の端面に第２のカムピン７が当接することにより停止する。この際、ストロボケース３は、第１のカムピン７を介して第１のバネ１９及び第２のバネ２０により開方向に付勢されるため、ストロボ発光部３ａを発光位置に確実に停止させることができる。
【００３８】
上述の説明からわかるように、ストロボ発光部３ａの移動量は、第２のカム溝部８の長さを変化させることにより制限することができる。従って、第２のカム溝部８の長さを調整することにより、ストロボ発光部３ａの発光位置を変化させることができる。
【００３９】
上述の実施例では、レバー５を時計回り方向に回転させることにより、ストロボ発光部３ａを発光位置に移動させていたが、変形例として例えばストロボケース３に取り付けられたリンク部材を回転させることにより、発光位置に移動させるようにしてもよい。なお、以下の変形例の説明は、図２を用いて行うものとする。
【００４０】
具体的には、まずリンク部材を回転させて、ストロボケース３を回転軸1２を中心軸として時計回り方向に回転させる。
【００４１】
これにより、ストロボケース３に固定された第２のカムピン７を回転軸１２を中心軸として時計回り方向に回転させ、カム９に時計回り方向に回転させるトルクを伝達する。つまり、カム９は、カメラ本体１に固定された第１のカムピン６を支点、ストロボケース３に固定された第２のカムピン７を力点、カム９を回転可能に支持する回転軸9を作用点として回転することになる。
【００４２】
カム９が回転することにより回転軸１０を介してアーム４に回転力が伝達され、アーム４は時計回り方向に回転する。この一連の駆動力の伝達により外部からの駆動によっても  このように、ストロボ発光部３ａの駆動機構を駆動することにより、ストロボ発光部３ａを発光位置に移動させることができる。
【００４３】
次に、図２を用いて、ストロボ発光部３ａを発光位置から収納位置に移動させる際の駆動機構の動作について説明する。即ち、図2(b)の状態から図2(a)の状態にストロボ発光部を移動させる際の駆動機構の動作について説明する。
【００４４】
アクチュエータ４２の駆動力が伝達され、レバー５が回転軸１１を中心軸として反時計回り方向に回転すると、これと一体となってアーム４も反時計回り方向に回転する。
【００４５】
アーム４が回転することにより、アーム４内の空間部に配置されたカム９も一体となって回転動作を開始する。ここで、上述のように第１のカム溝部１３を挿通している第１のカムピン６はカメラ本体１に対して固定されている。このため、第１のカムピン６から、第１のカム溝部１３の上側の面(図２(ｂ)における上側の面)に、カム９を反時計回り方向に回転させるトルクが与えられる。その結果、カム９は、アーム４に対して回転軸１０を中心軸として反時計回り方向に回転する。
【００４６】
そして、アーム４が回転軸１０回りの回転動作を開始すると、これに連動して第１のカム溝部１３の一端(図２(ｂ)における下側の端面)から他端(図２(ｂ)における上側の端面)へ第１のカムピン６が移動を開始し、徐々に第１のカムピン６に対する第１のバネ１９の付勢方向が開方向から閉方向に切り替わっていく。
【００４７】
また、第２のカムピン７も第２のカム溝部８の一端(図２(ｂ)における上側の端面)から他端(図２(ｂ)における下側の端面)へ移動を開始し、第２のカムピンに対する第２のバネの付勢方向が開方向から閉方向に切り替わっていく。
【００４８】
これにより、ストロボ発光部の駆動機構であるストロボケース３及びアーム４を収納位置に押し込むことが可能となり、これらの駆動機構とカメラ本体１との間に隙間が生じて、カメラの外観が損なわれるのを防止することができる。
【００４９】
なお、本実施例では、２つのバネを用いて開方向と閉方向に付勢させるようにしたが、１つのバネにより付勢させるようにしてもよい。
【００５０】
上述の実施例では、レバー５を反時計回り方向に回転させることにより、ストロボ発光部を収納位置に移動させているが、変形例として例えばストロボケース３を手動によりダウンさせるようにしてもよい。なお、以下の変形例の説明は、図２を用いて行うものとする。
【００５１】
ストロボケース３を手動により下方へ押し込むと、ストロボケース３が回転軸１１を中心軸として時計回り方向に回転する。そして、第２のカムピン７が第２のカム溝部８の下面(図２(ｂ)における右側の面)に当接して、カム９を反時計回り方向に回転させるトルクが発生する。このトルクにより、カム９はアーム４に対して回転軸１０を中心軸として反時計回り方向に回転する。
【００５２】
ここで、カメラ本体1に対して第１のカムピン６は固定されているため、カム９が上述のように反時計回り方向に回転することにより、第１のカムピン６を支点、第２のカムピン７を力点、回転軸１０を作用点として、アーム４を反時計回り方向に回転させる力が付与される。これによりストロボケース３とアーム４はそれぞれ、時計回り方向と反時計回り方向に回転する。
【００５３】
こうして、ストロボ発光部が収納位置に移動し、カメラ本体1にストロボケース３が当接すると、駆動機構であるストロボケース３とアーム４の回転動作が停止される。
【００５４】
本実施例では、カム９を用いてストロボ発光部３ａの駆動力を伝達するように構成しているため、少なくとも１つのリンク部材(ストロボケース３又はアーム４)に加えられた駆動力により、ストロボのアップ、ダウン動作を行うことができる。
【００５５】
（実施例２）
次に、実施例２について詳細に説明する。本実施例では、ストロボケース３及びアーム４のいずれか一方に加えられる回転力を他方へ伝達する伝達機構として、歯車を用いている。図４は、本実施例のストロボ発光部３ａの駆動機構をカメラの撮影光軸に対して直交する方向から見た図である。なお、図３に示す実施例１と同じ部材については、同一符号を付して説明を省略する。
【００５６】
アーム４は、実施例１とは異なり、板形状に構成されている。歯車３１は、カメラ本体１に固定され、この歯車３１の中心は回転軸１１の同軸上に配置されている。
【００５７】
歯車３３は、ストロボケース３に固定され、この歯車３１の中心はストロボケース３の基端部に取り付けられた回転軸１２の同軸上に配置されている。
【００５８】
回転軸１２は、板形状のアーム４を貫通し、アーム４を挟みこむような形で歯車３３と一体となっている。歯車３２は、アーム４に設けられた回転軸３４に対して回転可能に取り付けられており、歯車３１と歯車３３を連結し回転方向を反転させる。
【００５９】
ストロボ発光部３ａを発光位置に移動させる時は、まず、カメラ本体１の内側からレバー５を時計回り方向に回転させ、このレバー５に固定されたアーム３を同方向に回転させる。
【００６０】
アーム４の回転動作が開始されると、カメラ本体1に固定された歯車３１にかみ合いながら歯車３２が時計回り方向に回転し、さらに、この歯車３２にかみ合っている歯車３３が反時計回り方向に回転する。
【００６１】
ここで上述のように、歯車３３とストロボケース３は一体となっているため、ストロボケース３は歯車３３とともに反時計回り方向に回転し、発光位置に移動する。
なお、本実施例ではレバー５を時計回り方向に回転させることにより、ストロボ発光部３ａを発光位置に移動させたが、例えば、ストロボケース３を手動によりアップさせるようにしてもよい。
【００６２】
すなわち、ストロボケース３を手動により反時計回り方向に回転させると、ストロボケース３に固定された歯車３３にかみ合いながら歯車３２が回転軸３４を中心軸として時計回り方向に回転する。
【００６３】
ここで、歯車３２に噛み合う歯車３１はカメラ本体１に対して固定されているため、歯車３２が回転しても歯車３１は回転しない。したがって、歯車３２は、アーム４と一体となって回転軸１１を中心軸として時計回り方向に回転する。この一連の動作により、ストロボ発光部３ａを発光位置に移動させることができる。
【００６４】
ストロボ発光部３ａを収納位置にダウンさせる手段として、外部からストロボケース３を下方に押し込む方法やレバー５を駆動する方法が考えられるが、どちらの場合も、ストロボケース３及びアーム４のうちいずれか一方の回転力を、歯車３２によって回転方向を反転させて、他方に伝達することにより、収納位置へダウンさせることができる。
【００６５】
本実施例によれば、歯車によりストロボ発光部３ａの駆動力を伝達することにより、少なくとも一つのリンク部材(アーム４又はストロボケース３)に加えられた駆動力により、ストロボのアップ、ダウン動作を行うことができる。
【００６６】
(実施例３)
実施例３について説明する。本実施例では、ストロボケース３及びアーム４のいずれか一方に加えられる回転力を他方に伝達する伝達機構として、タイミングベルトを用いている。図５は、本実施例のストロボ発光部３ａの駆動機構をカメラの撮影光軸に対して直交する方向から見た図である。なお、図2に示す実施例１と同じ部材については、同一符号を付して説明を省略する。
【００６７】
アーム４は、第２の実施例と同様に板形状に構成されている。
【００６８】
歯車５１は、カメラ本体1に固定されており、この歯車５１の中心は回転軸１１と同軸上に配置されている。
【００６９】
歯車５３は、ストロボケース３に固定されており、この歯車５３の中心はストロボケース３の基端部に取り付けられた回転軸１２の同軸上に配置されている。
【００７０】
この回転軸１２は、板形状のアーム４を貫通しており、アーム４を挟みこむような形で歯車５３と一体となっている。
【００７１】
タイミングベルト５２は、歯車５１と歯車５３にたすき型にかけられており、回転方向を反転させる。
【００７２】
ストロボ発光部３ａを発光位置に移動させる時は、まず、カメラ本体１の内側からレバー５を回転軸１１を中心軸として時計回り方向に回転させ、このレバー５に固定されたアーム４を同方向に回転させる。
【００７３】
この際、タイミングベルト５２もアーム４と一体となって時計回り方向に回転する。また、アーム４の回転動作に連動して、タイミングベルト５２の交差部分より右側の部分が、時計回り方向に回転し、左側の部分が反時計回り方向に回転する。
【００７４】
そして、この左側部分には歯車５３が係合しているため、歯車５３も反時計回り方向に回転し、この歯車５３が固定されたストロボケース３は、回転軸１２を中心軸として反時計回り方向に回転する。この一連の動作により、ストロボケース３を発光位置に移動させることができる。
【００７５】
なお、本実施例ではレバー５を時計回り方向に回転させることにより、ストロボ発光部を発光位置に移動させたが、例えば、ストロボケース３を手動によりアップさせるようにしてもよい。
【００７６】
具体的には、ストロボケース３を手動により反時計回り方向に回転すると、歯車５３もこれと一体となって回転し、この歯車５３に係合したタイミングベルト５２の左側部分が反時計回り方向に回転する。
【００７７】
ここで、上述のように、タイミングベルト５２は、カメラ本体１に固定された歯車５１に噛み合っているため、アーム４と一体になって回転軸１１を中心軸として時計回り方向に回転する。この一連の動作により、ストロボ発光部３ａを発光位置に移動させることができる。
【００７８】
ストロボ発光部を収納位置にダウンさせる手段として、外部からストロボケースを下方に押し込む方法やレバー５を駆動する方法が考えられるが、どちらの場合も、ストロボケース３及びアーム４のうちいずれか一方の回転力を、タイミングベルト５２によって回転方向を反転させて、他方に伝達することにより、収納位置に移動させることができる。
【００７９】
(変形例)
本変形例では、実施例２と実施例３の構成に、ストロボ発光部３ａを開方向又は閉方向に付勢する付勢機構を備え付けている。
【００８０】
図６は、付勢機構を備え付けたストロボ発光部３ａの駆動機構を撮影光軸の直交方向から見た図であり、説明を簡単にするために、歯車・タイミングベルト等については省略している。
【００８１】
６１はアーム４に固定されたピンであり、６２はストロボケース３に形成された穴部である。この穴部６２は、ストロボ発光部３ａを駆動する際に、ピン６１がストロボケース３に干渉しないようにするために形成されている。
【００８２】
６３は、ストロボケース３に固定されたピンであり、６４はピン６１とピン６３との間に配置され、これらのピンを互いに反発する方向に付勢する捻りコイルバネである。
【００８３】
上述の付勢機構を備え付けることにより、ピン６１及びピン６３を介して伝達される付勢力により、発光位置に移動したストロボケース３を開方向に付勢することができるため、ストロボ発光部を発光位置に確実に停止させることができる。
【００８４】
また、ピン６１及びピン６３を介して伝達される付勢力により、収納位置に移動したストロボケース３を閉方向に付勢することができる。これにより、ストロボ発光部３ａの駆動機構とカメラ本体１との間に隙間が生じて、カメラの外観が損なわれるのを防止することができる。
【００８５】
なお、上述した実施例１から実施例３では、リンク部材をストロボケース2とアーム3の２部材で構成したが、3つ以上のリンク部材を用いる場合でも、説明した機構を繰り返し用いて連結していくことにより駆動力を伝達することができる。
【００８６】
つまり、実施例１の構成においては、アーム４及びカム９を複数用い、両方の回転軸においてアーム部材と連結されたアーム４には、第１のカムピン６と第２のカムピン７に相当した部材を取り付ける。これにより一方の回転軸で発生した駆動力を他方の回転軸に回転方向を逆転して伝達することができる。
【００８７】
実施例２においては、アーム４と歯車３１，３２，３３を複数用い、実施例３においては、アーム４と歯車５１，５２とタイミングベルト５２を複数用いることにより、同様の伝達機構を実現することができる。
【図面の簡単な説明】
【００８８】
【図１ａ】ストロボが閉状態である時のカメラの外観斜視図。
【図１ｂ】ストロボが開状態である時のカメラの外観斜視図。
【図２ａ】ストロボが閉状態である時の駆動機構の構造図。
【図２ｂ】ストロボが開状態である時の駆動機構の構造図。
【図３】ストロボ発光部の駆動機構の断面図。
【図４】実施例２のストロボ駆動機構の構造図。
【図５】実施例３のストロボ駆動機構の構造図。
【図６】実施例２と実施例３のストロボ駆動機構を付勢する付勢機構を示した図。
【符号の説明】
【００８９】
１  カメラ本体
２  マウント部
３  ストロボケース
４  アーム
５  レバー
６  第１のカムピン
７  第２のカムピン
８  第２のカム溝部
９  カム
１０  １１  １２  回転軸
１３  第１のカム溝部
１４  第１の溝部
１５  第２の溝部
１９  第１のバネ
２０  第２のバネ
３１  ３２  ３３  ５１  ５３  歯車
５２  タイミングベルト
【図１ａ】
2005156577.tif 000003
【図１ｂ】
2005156577.tif 000004
【図２ａ】
2005156577.tif 000005
【図２ｂ】
2005156577.tif 000006
【図３】
2005156577.tif 000007
【図４】
2005156577.tif 000008
【図５】
2005156577.tif 000009
【図６】
2005156577.tif 000010